(57)【要約】【課題】静止画においては精細感を損なうことなく、また動画においては白浮きを抑制して視野角を改善することができる画像処理装置及び画像処理方法を提供する。【解決手段】複数の画素で構成される画像の画素を高階調画素又は低階調画素のいずれかに割り当て、高階調画素に割り当てた画素の階調値をより高階調の高階調値に変換し、低階調画素に割り当てた画素の階調値をより低階調の低階調値に変換する変換処理部を備え、画像の画素が動画又は静止画であるかを判定する判定部をさらに備え、変換処理部は、判定部で画素が動画であると判定した場合に当該画素の階調値が変換される高階調値と低階調値との差分を、静止画であると判定した場合に当該画素の階調値が変換される高階調値と低階調値との差分より大きくして変換するようにしてある。【選択図】図１
2015011322.tif 000002
【特許請求の範囲】
【請求項１】
複数の画素で構成される画像の画素を高階調画素又は低階調画素のいずれかに割り当て、前記高階調画素に割り当てた画素の階調値をより高階調の高階調値に変換し、前記低階調画素に割り当てた画素の階調値をより低階調の低階調値に変換する変換処理部を備える画像処理装置において、
前記画像の画素が動画又は静止画であるかを判定する判定部を備え、
前記変換処理部は、
前記判定部で前記画素が動画であると判定した場合に前記画素の階調値が変換される前記高階調値と低階調値との差分を、前記判定部で前記画素が静止画であると判定した場合に前記画素の階調値が変換される前記高階調値と低階調値との差分より大きくして変換するようにしてあることを特徴とする画像処理装置。
【請求項２】
時系列的な一の画像及び他の画像それぞれの対応する画素の階調値の差分を算出する差分算出部を備え、
前記判定部は、
前記画素の階調値の差分が所定の差分閾値より大又は小であるかに応じて前記画素が動画又は静止画であるかを判定するようにしてあることを特徴とする請求項１に記載の画像処理装置。
【請求項３】
前記画像の画素と前記画素の周辺画素との階調値の差分を算出する差分算出部を備え、
前記判定部は、
前記画素と周辺画素との階調値の差分が所定の差分閾値より大又は小であるかに応じて前記画素が動画又は静止画であるかを判定するようにしてあることを特徴とする請求項１に記載の画像処理装置。
【請求項４】
前記画像の１又は複数の画素毎に、高階調画素及び低階調画素が格子状をなすように割り当てる割当部を備えることを特徴とする請求項１から請求項３までのいずれか１項に記載の画像処理装置。
【請求項５】
前記判定部は、
静止画から動画へ変化する時点又は動画から静止画へ変化する時点を判定するようにしてあり、
前記高階調値と低階調値との差分を、前記時点から徐々に大きくすべく又は徐々に小さくすべく調整する調整部を備えることを特徴とする請求項１から請求項４までのいずれか１項に記載の画像処理装置。
【請求項６】
前記判定部で前記画像の画素に動画及び静止画の両方が存在すると判定した場合、該判定部で動画と判定したときに用いられる高階調値と低階調値との差分及び該判定部で静止画と判定したときに用いられる高階調値と低階調値との差分のいずれかを選択する選択部を備え、
前記変換処理部は、
前記選択部で選択した高階調値と低階調値との差分を用いて、前記画像の全画素の階調値を変換するようにしてあることを特徴とする請求項１から請求項５までのいずれか１項に記載の画像処理装置。
【請求項７】
複数の画素で構成される画像の画素を高階調画素又は低階調画素のいずれかに割り当て、前記高階調画素に割り当てた画素の階調値をより高階調の高階調値に変換し、前記低階調画素に割り当てた画素の階調値をより低階調の低階調値に変換する画像処理方法において、
前記画像の画素が動画又は静止画であるかを判定するステップと、
前記画素が動画であると判定された場合に前記画素の階調値が変換される前記高階調値と低階調値との差分を、前記画素が静止画であると判定された場合に前記画素の階調値が変換される前記高階調値と低階調値との差分より大きくして変換するステップと
を含むことを特徴とする画像処理方法。
【発明の詳細な説明】
【技術分野】
【０００１】
本発明は、液晶パネルに表示される画像を処理する画像処理装置及び画像処理方法に関する。
【背景技術】
【０００２】
液晶表示装置は、液晶パネルの画素を構成する電極間の液晶層に電圧を印加して液晶分子の配光状態を変化させることにより、液晶が有する光学的な異方性を利用して光の透過率を調整して、液晶パネルを透過する光の量を画素毎に制御して画像を階調表示する。そして、液晶分子の配光状態は、印加される電圧の変化のみならず、視野の変化にも依存して光路に対する液晶の配光状態が変化するので、液晶表示装置は、視野角依存性が高く、視野角が狭いという特性を有する。
【０００３】
このような液晶表示装置は、例えば、特許文献１、２に開示されている。液晶パネルは、視野角に依存して輝度特性が異なる。すなわち、液晶パネルを正面から見た場合と、斜めから見た場合とでは、輝度が異なり、斜め方向から輝度を測定すると、中間階調が高輝度にシフトして、画面が白っぽく（白浮きとも称する）なり、滑らかな色合いが得られない。
【０００４】
そこで、視野角の影響を受けやすい中間階調を表示する場合、視野角の影響を受けにくい高階調及び低階調を使い、例えば、高階調の画素と低階調の画素とを格子状（千鳥パターンとも称する）に配置して、擬似的に中間階調を表示することにより、斜め方向から見たときの白浮きを抑制して視野角を広げることができる。
【先行技術文献】
【特許文献】
【０００５】
【特許文献１】特開２００４−６２１４６号公報
【特許文献２】特開２００９−２７６６５３号公報
【発明の概要】
【発明が解決しようとする課題】
【０００６】
しかし、従来の方法では、高階調の画素と低階調の画素とを格子状に配置しているため、例えば、隣り合う画素の階調値の差が大きく、精細感が損なわれ、エッジ部分がギザギザして、いわゆるザラザラした画像（映像）となるという問題がある。
【０００７】
本発明は斯かる事情に鑑みてなされたものであり、静止画においては精細感を損なうことなく、また動画においては白浮きを抑制して視野角を改善することができる画像処理装置及び画像処理方法を提供することを目的とする。
【課題を解決するための手段】
【０００８】
本発明に係る画像処理装置は、複数の画素で構成される画像の画素を高階調画素又は低階調画素のいずれかに割り当て、前記高階調画素に割り当てた画素の階調値をより高階調の高階調値に変換し、前記低階調画素に割り当てた画素の階調値をより低階調の低階調値に変換する変換処理部を備える画像処理装置において、前記画像の画素が動画又は静止画であるかを判定する判定部を備え、前記変換処理部は、前記判定部で前記画素が動画であると判定した場合に前記画素の階調値が変換される前記高階調値と低階調値との差分を、前記判定部で前記画素が静止画であると判定した場合に前記画素の階調値が変換される前記高階調値と低階調値との差分より大きくして変換するようにしてあることを特徴とする。
【０００９】
本発明に係る画像処理装置は、時系列的な一の画像及び他の画像それぞれの対応する画素の階調値の差分を算出する差分算出部を備え、前記判定部は、前記画素の階調値の差分が所定の差分閾値より大又は小であるかに応じて前記画素が動画又は静止画であるかを判定するようにしてあることを特徴とする。
【００１０】
本発明に係る画像処理装置は、前記画像の画素と前記画素の周辺画素との階調値の差分を算出する差分算出部を備え、前記判定部は、前記画素と周辺画素との階調値の差分が所定の差分閾値より大又は小であるかに応じて前記画素が動画又は静止画であるかを判定するようにしてあることを特徴とする。
【００１１】
本発明に係る画像処理装置は、前記画像の１又は複数の画素毎に、高階調画素及び低階調画素が格子状をなすように割り当てる割当部を備えることを特徴とする。
【００１２】
本発明に係る画像処理装置は、前記判定部は、静止画から動画へ変化する時点又は動画から静止画へ変化する時点を判定するようにしてあり、前記高階調値と低階調値との差分を、前記時点から徐々に大きくすべく又は徐々に小さくすべく調整する調整部を備えることを特徴とする。
【００１３】
本発明に係る画像処理装置は、前記判定部で前記画像の画素に動画及び静止画の両方が存在すると判定した場合、該判定部で動画と判定したときに用いられる高階調値と低階調値との差分及び該判定部で静止画と判定したときに用いられる高階調値と低階調値との差分のいずれかを選択する選択部を備え、前記変換処理部は、前記選択部で選択した高階調値と低階調値との差分を用いて、前記画像の全画素の階調値を変換するようにしてあることを特徴とする。
【００１４】
本発明に係る画像処理方法は、複数の画素で構成される画像の画素を高階調画素又は低階調画素のいずれかに割り当て、前記高階調画素に割り当てた画素の階調値をより高階調の高階調値に変換し、前記低階調画素に割り当てた画素の階調値をより低階調の低階調値に変換する画像処理方法において、前記画像の画素が動画又は静止画であるかを判定するステップと、前記画素が動画であると判定された場合に前記画素の階調値が変換される前記高階調値と低階調値との差分を、前記画素が静止画であると判定された場合に前記画素の階調値が変換される前記高階調値と低階調値との差分より大きくして変換するステップとを含むことを特徴とする。
【発明の効果】
【００１５】
本発明によれば、静止画においては精細感を損なうことなく、また動画においては白浮きを抑制して視野角を改善することができる。
【図面の簡単な説明】
【００１６】
【図１】実施の形態１の画像処理装置としての液晶表示装置の構成の一例を示すブロック図である。
【図２】動画検出部による動画・静止画の判定方法の一例を示す説明図である。
【図３】視野角改善処理部による視野角改善処理の第１例を示す説明図である。
【図４】高階調映像及び低階調映像出力部による高階調映像及び低階調映像の算出方法の第１例を示す説明図である。
【図５】パターン信号生成部が生成するパターン信号の一例を示す模式図である。
【図６】入力画像の一例を示す模式図である。
【図７】入力画像が動画である場合の出力画像の一例を示す模式図である。
【図８】入力画像が静止画である場合の出力画像の一例を示す模式図である。
【図９】実施の形態１の液晶表示装置の輝度特性の一例を示す説明図である。
【図１０】視野角改善処理部による視野角改善処理の第２例を示す説明図である。
【図１１】高階調映像及び低階調映像出力部による高階調映像及び低階調映像の算出方法の第２例を示す説明図である。
【図１２】階調差パラメータαを用いた場合の出力画像の一例を示す模式図である。
【図１３】階調差パラメータαを用いた場合の液晶表示装置の輝度特性の一例を示す説明図である。
【図１４】実施の形態１の液晶表示装置の視野角改善処理による画像の様子の一例を示す模式図である。
【図１５】パターン信号生成部が生成するパターン信号の他の例を示す模式図である。
【図１６】実施の形態２の視野角改善処理部による階調差パラメータαの時定数に基づく変化の様子を示すタイムチャートである。
【図１７】静止画と動画との間での変化による輝度変化の様子の一例を示す説明図である。
【図１８】実施の形態３の画像処理装置としての液晶表示装置の構成の一例を示すブロック図である。
【図１９】実施の形態４の階調差パラメータ出力部による階調差パラメータαの出力態様の一例を示す説明図である。
【発明を実施するための形態】
【００１７】
（実施の形態１）
以下、本発明をその実施の形態を示す図面に基づいて説明する。図１は実施の形態１の画像処理装置としての液晶表示装置１００の構成の一例を示すブロック図である。液晶表示装置１００は、映像信号入力部１１、フレームメモリ１２、視野角改善処理部１３、液晶駆動部２０、液晶パネル３０などを備える。
【００１８】
液晶駆動部２０は、ゲートドライバ、ソースドライバなどを備え、視野角改善処理部１３が出力する映像信号に基づいて、液晶パネル３０を駆動する。これにより、映像信号の階調で液晶パネル３０の透過率を調整して映像の濃度変化を表すことができる。
【００１９】
映像信号入力部１１は、映像信号を取得するためのインタフェースである。映像信号は、１フレーム分の映像信号が時系列的に連続した信号である。映像信号は、Ｒ（赤）、Ｇ（緑）、Ｂ（青）それぞれが独立に処理される。映像信号入力部１１は、取得した映像信号を１フレームの映像信号毎にフレームメモリ１２に記憶する。なお、１フレーム分の映像信号は、１フレーム分の画像とも称する。
【００２０】
視野角改善処理部１３は、動画検出部１３１、階調差パラメータ出力部１３２、高階調映像及び低階調映像出力部１３３、高階調映像及び低階調映像選択部１３４、パターン信号生成部１３５などを備える。視野角改善処理部１３は、判定部、変換処理部、差分算出部、割当部などの機能を有する。
【００２１】
動画検出部１３１は、現フレームと前フレームの入力映像に基づいて、現フレームの画像の任意の画素が動画であるか、あるいは静止画であるかを判定する。動画検出部１３１は、判定結果に基づくフラグ信号を出力する。本実施の形態では、動画検出部１３１が出力するフラグ信号を、ｆｌａｇ（ｘ、ｙ）で表す。例えば、ｆｌａｇ（ｘ、ｙ）＝ｓｇの場合、静止画を示し、ｆｌａｇ（ｘ、ｙ）＝ｄｇの場合、動画を示すものとする。また、（ｘ、ｙ）は、画素の座標である。
【００２２】
図２は動画検出部１３１による動画・静止画の判定方法の一例を示す説明図である。図２は１フレーム分の画像を示し、簡便のため、８×８の画素で表している。図２に示すように、時系列的な一の画像及び他の画像としての、直近のフレームであるフレーム（ｔ-１）の画像（映像）と、現在のフレームであるフレームｔの画像（映像）それぞれの対応する画素（図２においても模様が付された画素）、すなわち座標（ｘ、ｙ）が同じ画素それぞれの階調値をｄ（ｘ、ｙ、ｔ-１）、ｄ（ｘ、ｙ、ｔ）とする。
【００２３】
動画検出部１３１は、時系列的な一の画像及び他の画像それぞれの対応する画素の階調値の差分を算出する。階調値の差分Δｄは、Δｄ＝｜ｄ（ｘ、ｙ、ｔ）-ｄ（ｘ、ｙ、ｔ-１）｜という式で算出することができる。
【００２４】
図３は視野角改善処理部１３による視野角改善処理の第１例を示す説明図である。図３に示すように、動画検出部１３１は、画素の階調値の差分が所定の差分閾値ＦＴＨより大又は小であるかに応じて、当該画素が動画又は静止画であるかを判定する。例えば、階調値の差分Δｄ＞ＦＴＨである場合、画素（ｘ、ｙ）は動画であると判定し、階調値の差分Δｄ≦ＦＴＨである場合、画素（ｘ、ｙ）は静止画であると判定することができる。画像の階調を、例えば、２５６階調とした場合、差分閾値ＦＴＨは、例えば、０〜１６程度の値とすることができる。なお、動画又は静止画の判定は、画像全体が動画であるか、静止画であるかを判定することができ、画像の一部が動画であるか、静止画であるかを判定することもできる。すなわち、画像全体が動画又は静止画である場合だけでなく、画像中に動画と静止画とが混在する場合でも、本実施の形態を適用することができる。
【００２５】
階調差パラメータ出力部１３２は、動画検出部１３１が出力したフラグ信号に基づいて、階調差パラメータα（ｘ、ｙ）を出力する。図３の例では、階調差パラメータ出力部１３２が出力する階調差パラメータα（ｘ、ｙ）は「１」である。
【００２６】
高階調映像及び低階調映像出力部１３３は、入力映像の入力階調ｄ及び階調差パラメータα（ｘ、ｙ）に基づき、高階調映像及び低階調映像を算出する。なお、入力階調ｄは、ｄ（ｘ、ｙ）とも表記する。
【００２７】
図４は高階調映像及び低階調映像出力部１３３による高階調映像及び低階調映像の算出方法の第１例を示す説明図である。図４において、横軸は入力階調ｄを示し、縦軸は出力階調ｑを示す。ｄｍは入力階調の最大値であり、ｑｍは出力階調の最大値である。入力階調及び出力階調が０である点と、入力階調及び出力階調が共に最大値である点とを結ぶ直線（図４の「ｄｎｏｍ」で示す直線）は、視野角改善処理を行わない場合の階調変換を示すものである。すなわち、階調変換ｄｎｏｍは、視野角改善処理を行なわずに入力階調を出力階調へ変換する。なお、図４では、簡便のため、階調変換ｄｈｉｇｈ（ｄ（ｘ、ｙ））をｄｈｉｇｈで表し、階調変換ｄｌｏｗ（ｄ（ｘ、ｙ））をｄｌｏｗで表す。
【００２８】
階調変換ｄｈｉｇｈは、高階調映像の算出に適用される階調変換である。画素（ｘ、ｙ）に対して適用される階調変換ｄｈｉｇｈは、入力階調ｄが、０≦ｄ＜ｄｍ／２の場合には、式（１）で表され、入力階調ｄが、ｄｍ／２≦ｄ≦ｄｍの場合には、式（２）で表される。すなわち、階調変換ｄｈｉｇｈは、図４に示すような、２つの直線で表すことができる。
【００２９】
【数１】
2015011322.tif 000003
【００３０】
また、階調変換ｄｌｏｗは、低階調映像の算出に適用される階調変換である。画素（ｘ、ｙ）に対して適用される階調変換ｄｌｏｗは、入力階調ｄが、０≦ｄ＜ｄｍ／２の場合には、式（３）で表され、入力階調ｄが、ｄｍ／２≦ｄ≦ｄｍの場合には、式（４）で表される。すなわち、階調変換ｄｌｏｗは、図４に示すような、２つの直線で表すことができる。
【００３１】
階調変換ｄｈｉｇｈ、ｄｌｏｗは、視野角改善処理部１３が式（１）〜（４）に基づいて入力階調ｄから算出することができる。また、階調変換ｄｈｉｇｈ、ｄｌｏｗで示す入力階調と出力階調とをＬＵＴ（ルックアップテーブル）に記録しておき、入力階調ｄに対する出力階調を読み出すようにしてもよい。
【００３２】
高階調映像及び低階調映像選択部１３４は、パターン信号生成部１３５が生成するパターン信号に基づいて画像の画素を高階調画素又は低階調画素のいずれかに割り当て、高階調画素に割り当てた画素の階調値をより高階調の高階調値に変換し、低階調画素に割り当てた画素の階調値をより低階調の低階調値に変換することにより、視野角改善処理を行う。
【００３３】
図５はパターン信号生成部１３５が生成するパターン信号の一例を示す模式図である。パターン信号生成部１３５は、各フレームの画像の１又は複数の画素毎に、高階調画素及び低階調画素が格子状をなすように割り当てる。すなわち、パターン信号生成部１３５は、各フレームの画像の画素を、高階調画素又は低階調画素のいずれに割り当てるかを決定するパターン信号を生成する。１フレームの画像の画素の座標を（ｘ、ｙ）とすると、パターン信号は、ｐ（ｘ、ｙ）で表すことができ、ｐ（ｘ、ｙ）は、例えば、「１」と「０」の２値で表現することができる。ｐ（ｘ、ｙ）が「１」はハイ（Ｈｉ）であり、画素（ｘ、ｙ）が高階調画素に割り当てられ、「０」はロー（Ｌｏｗ）であり、画素（ｘ、ｙ）が低階調画素に割り当てられる。
【００３４】
パターン信号生成部１３５は、入力映像の同期信号を取得し、同期信号であるデータイネーブル信号をドット単位及びライン単位でカウントし、ドット単位でカウントした値をｘ座標とし、ライン単位でカウントした値をｙ座標とする。図５に例示するパターン信号は、１ライン１ドットの千鳥パターン(格子状)である。「１」はハイ（Ｈｉ）と、「０」はロー（Ｌｏｗ）との間隔が狭いほど、ざらつき感が少なく精細感を高くすることができる。
【００３５】
そして、高階調映像及び低階調映像選択部１３４は、ｐ（ｘ、ｙ）＝「１」、すなわちパターン信号がハイの場合、出力映像ｑ（ｘ、ｙ）＝ｄｈｉｇｈ（ｄ（ｘ、ｙ）、α）を出力し、ｐ（ｘ、ｙ）＝「０」、すなわちパターン信号がローの場合、出力映像ｑ（ｘ、ｙ）＝ｄｌｏｗ（ｄ（ｘ、ｙ）、α）を出力する。
【００３６】
上述のように、視野角改善処理部１３は、動画であると判定された画素（ｘ、ｙ）に対して、視野角改善度合いの大きい処理を行い、静止画であると判定された画素（ｘ、ｙ）に対して、視野角改善度合いの小さい処理を行う。なお、視野角改善度合いの小さい処理には、視野角改善処理を行わない場合も含む。すなわち、図３に示すように、動画であると判定された画素（ｘ、ｙ）に対して、視野角改善処理を行い、静止画であると判定された画素（ｘ、ｙ）に対して、視野角改善処理を行わないようにすることができる。
【００３７】
そして、図３に示すように、視野角改善処理部１３は、動画であると判定した画素（ｘ、ｙ）に対して、パターン信号ハイ（Ｈｉ）が割り当てられている場合には、階調変換ｄｈｉｇｈを適用し、パターン信号ロー（Ｌｏｗ）が割り当てられている場合には、階調変換ｄｌｏｗを適用する。
【００３８】
図６は入力画像の一例を示す模式図であり、図７は入力画像が動画である場合の出力画像の一例を示す模式図であり、図８は入力画像が静止画である場合の出力画像の一例を示す模式図である。なお、図６〜図８では、階調の高低を模様の線・点の密度の大小で便宜上表している。図６は１フレーム分の入力画像を示し、簡便のため、８×８の画素で表している。図６に示すように、白抜きで示す画素は入力階調が高階調の画素であり、黒で示す画素は入力階調が低階調の画素である。また、斜線で示す画素は入力階調が中階調の画素である。
【００３９】
高階調及び低階調の画素は、視野角の影響を比較的受けにくく、液晶パネル（画面）を斜め方向から見ても白浮きのような現象が顕著に表れない。一方、中階調の画素は視野角の影響を受け、液晶パネルを斜め方向から見た場合、白浮きのような現象が現れる。
【００４０】
そこで、図７に示すように、入力画像が動画の場合、中階調の画素に対して視野角改善処理を行い、斜め方向から見たときでも高輝度にシフトしないように、高階調の画素と低階調の画素とが格子状をなすように配置することにより、擬似的に中階調（中間輝度）に近づける。画像が動画である場合には、高階調の画素と低階調の画素とが格子状をなすように配置しても画像（映像）の精細感が損なわれる度合が少なく、白浮きの抑制をすることができる。
【００４１】
一方、図８に示すように、入力画像が静止画の場合、中階調の画素に対しても視野角改善処理を行わない。画像が静止画である場合には、高階調の画素と低階調の画素とが格子状をなすように配置したときに画像（映像）の精細感が損なわれる度合が高い。そこで、入力画像が静止画の場合には、視野角改善処理を行わないようにして、画像（映像）の精細感を維持することができる。
【００４２】
図９は実施の形態１の液晶表示装置１００の輝度特性の一例を示す説明図である。図９において、横軸は液晶パネルへの規格化した入力階調（０〜１）を示し、縦軸は規格化した輝度（０〜１）を示す。すなわち、入力階調は最大階調が１になるように規格化してあり、液晶パネルの正面及び斜め方向で測定した輝度の最大値が１になるように規格化してある。図９中、符号Ａで示す直線は、入力階調に対して、液晶パネルの正面で測定した輝度を示す。符号Ａで示す輝度特性は、液晶パネルの正面で測定した輝度を表すので、いわゆる白浮きなどの現象はない。
【００４３】
また、符号Ｂ、Ｃで示す曲線は、入力階調に対して、液晶パネルの斜め方向で測定した輝度であり、符号Ｂは動画の場合であり、符号Ｃは静止画の場合である。液晶パネルの斜め方向で測定した輝度は、正面で測定した輝度に比べて高くなる。また、符号Ｂで示す動画の場合に比べて、符号Ｃで示す静止画の場合の方の輝度が高くなる。すなわち、静止画の場合には、斜め方向から見たときの高輝度側へのシフトが大きくても、画像（映像）の精細感を維持する。特に、テロップ、ＯＳＤ（Ｏｎ  Ｓｃｒｅｅｎ  Ｄｉｓｐｌａｙ）等の文字表示、写真などの静止画での精細感が損なわれることを防止することができる。一方、動画の場合には、斜め方向から見たときの高輝度側へのシフトを抑制し、中間の輝度特性を符号Ａで示す輝度特性に近づけ、いわゆる白浮きを抑制することができる。
【００４４】
図３の例では、階調差パラメータα（ｘ、ｙ）として、α（ｘ、ｙ）＝１という定数を使用する場合について説明した。階調差パラメータα（ｘ、ｙ）は定数に限定されるものではなく、０から１までの任意の値とすることができる。以下では、階調差パラメータα（ｘ、ｙ）が、０≦α（ｘ、ｙ）≦１である場合について説明する。
【００４５】
図１０は視野角改善処理部１３による視野角改善処理の第２例を示す説明図である。図３の場合と同様に、動画検出部１３１は、画素の階調値の差分が所定の差分閾値ＦＴＨより大又は小であるかに応じて、当該画素が動画又は静止画であるかを判定する。例えば、階調値の差分Δｄ＞ＦＴＨである場合、画素（ｘ、ｙ）は動画であると判定し、階調値の差分Δｄ≦ＦＴＨである場合、画素（ｘ、ｙ）は静止画であると判定することができる。
【００４６】
階調差パラメータ出力部１３２は、動画検出部１３１が出力したフラグ信号に基づいて、階調差パラメータα（ｘ、ｙ）を出力する。例えば、階調差パラメータ出力部１３２は、動画領域の場合、すなわち、ｆｌａｇ（ｘ、ｙ）＝ｄｇの場合、α（ｘ、ｙ）＝α０を出力する。また、階調差パラメータ出力部１３２は、静止画領域の場合、すなわち、ｆｌａｇ（ｘ、ｙ）＝ｓｇの場合、α（ｘ、ｙ）＝α１を出力する。ここで、０≦α０＜α１≦１の関係がある。
【００４７】
階調差パラメータα０、α１は、液晶パネル毎の固有の値にしてもよく、あるいは外部から設定可能にしてもよい。外部から設定可能にする場合、例えば、ユーザがリモコン又はボタン操作により設定することができる。
【００４８】
高階調映像及び低階調映像出力部１３３は、入力映像の入力階調ｄ及び階調差パラメータα（ｘ、ｙ）に基づき、高階調映像及び低階調映像を算出する。なお、入力階調ｄは、ｄ（ｘ、ｙ）とも表記する。
【００４９】
図１１は高階調映像及び低階調映像出力部１３３による高階調映像及び低階調映像の算出方法の第２例を示す説明図である。図１１において、横軸は入力階調ｄを示し、縦軸は出力階調ｑを示す。ｄｍは入力階調の最大値であり、ｑｍは出力階調の最大値である。入力階調及び出力階調が０である点と、入力階調及び出力階調が共に最大値である点とを結ぶ直線は、視野角改善処理を行わない場合の階調変換を示すものである。なお、図１１では、簡便のため、階調変換ｄｈｉｇｈ（ｄ（ｘ、ｙ）、α）をｄｈｉｇｈ（α）で表し、階調変換ｄｌｏｗ（ｄ（ｘ、ｙ）、α）をｄｌｏｗ（α）で表す。
【００５０】
階調変換ｄｈｉｇｈ（α）は、高階調映像の算出に適用される階調変換である。画素（ｘ、ｙ）に対して適用される階調変換ｄｈｉｇｈ（α）は、入力階調ｄが、０≦ｄ＜ｄｍ／２の場合には、式（５）で表され、入力階調ｄが、ｄｍ／２≦ｄ≦ｄｍの場合には、式（６）で表される。式（５）、（６）において、αは階調差パラメータである。すなわち、階調変換ｄｈｉｇｈは、図１１に示すような、入力階調がｄｍ／２、出力階調が（１＋α）×ｑｍ／２である点で折れ曲がる２つの直線で表すことができる。階調差パラメータαが大きくなると、ｄｈｉｇｈ（α）は上方にシフトし、階調差パラメータαが１の場合、ｄｈｉｇｈ（α）は、図４のｄｈｉｇｈと一致する。
【００５１】
【数２】
2015011322.tif 000004
【００５２】
また、階調変換ｄｌｏｗ（α）は、低階調映像の算出に適用される階調変換である。画素（ｘ、ｙ）に対して適用される階調変換ｄｌｏｗ（α）は、入力階調ｄが、０≦ｄ＜ｄｍ／２の場合には、式（７）で表され、入力階調ｄが、ｄｍ／２≦ｄ≦ｄｍの場合には、式（８）で表される。式（７）、（８）において、αは階調差パラメータである。すなわち、階調変換ｄｌｏｗ（α）は、図１１に示すような、入力階調がｄｍ／２、出力階調が（１-α）×ｑｍ／２である点で折れ曲がる２つの直線で表すことができる。階調差パラメータαが大きくなると、ｄｌｏｗ（α）は下方にシフトし、階調差パラメータαが１の場合、ｄｌｏｗ（α）は、図４のｄｌｏｗと一致する。また、階調差パラメータαが０の場合、ｄｈｉｇｈ（α）とｄｌｏｗ（α）とは、共に、入力階調及び出力階調が０である点と、入力階調及び出力階調が共に最大値である点とを結ぶ直線に一致する。
【００５３】
すなわち、階調差パラメータαを大きくすると、階調変換ｄｈｉｇｈ（α）とｄｌｏｗ（α）とが遠ざかり、階調差パラメータαを小さくすると、階調変換ｄｈｉｇｈ（α）とｄｌｏｗ（α）とが近づくことになる。
【００５４】
そして、高階調映像及び低階調映像選択部１３４は、ｐ（ｘ、ｙ）＝「１」、すなわちパターン信号がハイの場合、出力映像ｑ（ｘ、ｙ）＝ｄｈｉｇｈ（ｄ（ｘ、ｙ）、α）を出力し、ｐ（ｘ、ｙ）＝「０」、すなわちパターン信号がローの場合、出力映像ｑ（ｘ、ｙ）＝ｄｌｏｗ（ｄ（ｘ、ｙ）、α）を出力する。
【００５５】
上述のように、視野角改善処理部１３は、動画であると判定された画素（ｘ、ｙ）に対して、視野角改善度合いの大きい処理を行い、静止画であると判定された画素（ｘ、ｙ）に対して、視野角改善度合いの小さい処理を行う。
【００５６】
すなわち、図１０に示すように、視野角改善処理部１３が、高階調画素に割り当てた画素の階調値をより高階調の高階調値に変換し、低階調画素に割り当てた画素の階調値をより低階調の低階調値に変換する場合に、動画であると判定された画素（ｘ、ｙ）に対して、視野角改善処理部１３は、画素の階調値が変換される高階調値と低階調値との差分を大きくする。階調差パラメータαは、視野角改善度合いの大小を表すパラメータとして用いる。
【００５７】
また、図１０に示すように、視野角改善処理部１３が、高階調画素に割り当てた画素の階調値をより高階調の高階調値に変換し、低階調画素に割り当てた画素の階調値をより低階調の低階調値に変換する場合に、静止画であると判定された画素（ｘ、ｙ）に対して、視野角改善処理部１３は、画素の階調値が変換される高階調値と低階調値との差分を小さくする。なお、階調差パラメータαは、０≦α≦１である。階調差パラメータαは、利用者が画像（映像）を確認して所望の値に設定することにより、視野角改善、エッジ部の精細感の調整を行うことができる。
【００５８】
つまり、図１０に示すように、視野角改善処理部１３は、画素が動画であると判定した場合に当該画素の階調値が変換される高階調値と低階調値との差分を、画素が静止画であると判定した場合に当該画素の階調値が変換される高階調値と低階調値との差分より大きくして入力階調を変換する。
【００５９】
そして、図１０に示すように、視野角改善処理部１３は、動画であると判定した画素（ｘ、ｙ）に対して、階調差パラメータαの大きい値（例えば、α１）を用いて、パターン信号ハイ（Ｈｉ）が割り当てられている場合には、階調変換ｄｈｉｇｈを適用し、パターン信号ロー（Ｌｏｗ）が割り当てられている場合には、階調変換ｄｌｏｗを適用する。
【００６０】
また、視野角改善処理部１３は、静止画であると判定した画素（ｘ、ｙ）に対して、階調差パラメータαの小さい値（例えば、α０、α０＜α１）を用いて、パターン信号ハイ（Ｈｉ）が割り当てられている場合には、階調変換ｄｈｉｇｈを適用し、パターン信号ロー（Ｌｏｗ）が割り当てられている場合には、階調変換ｄｌｏｗを適用する。
【００６１】
図１２は階調差パラメータαを用いた場合の出力画像の一例を示す模式図である。図１２は１フレーム分の入力画像を示し、簡便のため、８×８の画素で表している。図１２において、白抜きで示す画素は入力階調が高階調の画素であり、黒で示す画素は入力階調が低階調の画素である。また、格子模様の画素は、階調変換ｄｈｉｇｈ（α）を適用した画素であり、点模様の画素は、階調変換ｄｌｏｗ（α）を適用した画素であり、いずれも入力階調が中階調の画素である。
【００６２】
階調差パラメータαを、０＜α＜１の範囲で調整することにより、α＝１に相当する図７の動画の場合に比べて、画像のエッジ部分のギザギザ、がたつきが目立たなくなり、精細感を維持することができる。
【００６３】
図１３は階調差パラメータαを用いた場合の液晶表示装置１００の輝度特性の一例を示す説明図である。図１３において、横軸は液晶パネルへの規格化した入力階調（０〜１）を示し、縦軸は規格化した輝度（０〜１）を示す。図１１中、符号Ａで示す直線は、入力階調に対して、液晶パネルの正面で測定した輝度を示す。符号Ａで示す輝度特性は、液晶パネルの正面で測定した輝度を表すので、いわゆる白浮きなどの現象はない。
【００６４】
また、符号Ｄ、Ｅで示す曲線は、入力階調に対して、液晶パネルの斜め方向で測定した輝度であり、符号Ｄは階調差パラメータαが大きい（例えば、α１）場合であり、符号Ｅは階調差パラメータαが小さい（例えば、α０、α０＜α１）場合である。
【００６５】
図１３から解るように、階調差パラメータαを大きくすると、輝度特性が符号Ａで示す線形の輝度特性（液晶パネルの正面で測定した輝度）に近づくため、白浮きを抑制することができる。つまり、階調差パラメータαを０から１に近づけるほど、白浮きを抑制することができる。
【００６６】
一方、階調差パラメータαを小さくすると、画像のエッジ部分のがたつきが目立たなくなり、精細感を損なうことを防止することができる。つまり、階調差パラメータαを１から０に近づけるほど、精細感を維持することができる。階調差パラメータαを所望の値に設定するための適宜の構成又は機能を液晶表示装置１００に備えることにより、利用者は映像を確認して階調差パラメータαを調整し、視野角改善、エッジ部分の精細感の維持、調整を所望どおりにすることが可能となる。
【００６７】
図１４は実施の形態１の液晶表示装置１００の視野角改善処理による画像の様子の一例を示す模式図である。図１４に示すように、入力映像が、動画と判定された動画領域と静止画と判定された静止画領域とを有するとする。動画領域では、視野角改善処理に伴う高階調と低階調との差を大きく（階調差パラメータαを大きく、例えば、α＝α１）することにより、白浮きを抑制することができる。しかし、中間階調とのエッジは、高階調画素と低階調画素が格子状に配置され、エッジがギザギザとなる。
【００６８】
また、静止画領域では、視野角改善処理に伴う高階調と低階調との差を小さく（階調差パラメータαを小さく、例えば、α＝α０、α０＜α１）することにより、精細感を維持することができる。図１４の例では、中間階調とのエッジがほぼ直線状になる。
【００６９】
本実施の形態によれば、入力映像が動画であり、動画の一部にテロップ部分が存在する場合、テロップ部分は静止画領域と判定され、静止画領域では精細感を維持することができ、中間階調とのエッジは直線状になる。そして、テロップ部分以外は動画と判定され、動画領域では白浮きを抑制することができる。
【００７０】
上述の実施の形態では、各フレームの画像の１つの画素それぞれを、高階調画素又は低階調画素のいずれに割り当てる構成であったが、パターン信号による高階調画素と低階調画素との割り当て方法は、これに限定されるものではない。
【００７１】
図１５はパターン信号生成部１３５が生成するパターン信号の他の例を示す模式図である。図１５の例では、図５の例と異なり、１ライン２ドットの千鳥パターンとなっている。これにより、液晶パネル３０の極性と、高階調画素及び低階調画素とが一致しないようにすることができる。なお、映像の精細感を維持するためには、図１５の例よりも図５の例の方が好ましいが、映像の特性に応じて、図５の方法を採用するか、図１５のような方法を採用するかを選択するようにすればよい。
【００７２】
上述の実施の形態では、画像（映像）が動画であるか静止画であるかを判定する場合に、現在のフレームと直近のフレームとの時系列的な２つの画像それぞれの座標が同じ画素の階調値の差分の大小に基づいて判定する構成であったが、動画又は静止画の判定方法はこれに限定されるものではない。
【００７３】
例えば、視野角改善処理部１３は、任意のフレームの画像の画素と当該画素の周辺画素との階調値の差分を算出する。周辺画素は、例えば、任意の画素の周辺の８画素でもよく、上下左右の４画素でもよく、左右の２画素でもよく、上下の２画素でもよい。周辺画素の階調値は、周辺画素それぞれの階調値を合計して周辺画素の個数で除算した平均値でもよく、中央値などでもよい。
【００７４】
そして、視野角改善処理部１３は、画素と周辺画素との階調値の差分が所定の差分閾値より大きい場合、当該画素が動画であると判定し、画素と周辺画素との階調値の差分が所定の差分閾値より小さい場合、当該画素が静止画であると判定することができる。
【００７５】
（実施の形態２）
図１４に示すように、入力映像が動画であり、動画の一部にテロップ部分などの静止画領域がある場合、映像のシーンが変わると、静止画領域が動画領域に変化すること、あるいは動画領域が静止画領域に変化することがある。この場合、液晶パネルを斜め方向から見ていると色合いが急に変化して不自然に見えることがある。例えば、静止しているテロップが急にスクロールすることで、色が変化するので不自然に見えることになる。以下、かかる現象を改善する方法について説明する。
【００７６】
図１６は実施の形態２の視野角改善処理部１３による階調差パラメータαの時定数に基づく変化の様子を示すタイムチャートであり、図１７は静止画と動画との間での変化による輝度変化の様子の一例を示す説明図である。なお、液晶表示装置１００、視野角改善処理部１３等の構成は実施の形態１と同様であるので、説明は省略する。
【００７７】
図１６の上段のチャートは、例えば、時刻ｔ０において、入力映像の静止画領域が動画領域に変化した場合の階調の差分Δｄ（ｔ）の変化の様子を示す。この場合、上述のように、液晶パネルを斜め方向から見ていると色合いが急に変化して不自然に見える。
【００７８】
これは、図１７にも例示するように、符号Ｅで示す静止画の場合の輝度特性において、輝度がｑ１であったものが、静止画から動画に変化した場合に、符号Ｄで示す動画の場合の輝度特性の輝度ｑ２に急激に変化することからも解る。なお、動画から静止画に変化する場合も同様に不自然に見える。
【００７９】
動画検出部１３１は、静止画から動画へ変化する時点又は動画から静止画へ変化する時点を判定する。そして、調整部としての階調差パラメータ出力部１３２は、動画検出部１３１で静止画から動画へ変化すると判定した場合、高階調値と低階調値との差分である階調値パラメータを、当該時点から所要の時定数で徐々に大きくすべく調整する。また、階調差パラメータ出力部１３２は、動画検出部１３１で動画から静止画へ変化すると判定した場合、高階調値と低階調値との差分である階調値パラメータを、当該時点から所要の時定数で徐々に小さくすべく調整する。
【００８０】
例えば、図１６の下段のチャートのように、時刻ｔ０より前の映像が静止画である場合の階調差パラメータをα０とし、映像が動画である場合の階調差パラメータをα１（α１＞α０）とすると、時刻ｔ０から階調差パラメータαを、α０からα１へ徐々に大きくする。階調差パラメータαが、α０からα１になるまでの時間（時定数）は、適宜設定することができるが、例えば、３〜５フレームに相当する時間とすることができる。このように、静止画から動画へ変化、あるいは動画から静止画へ変化する場合、階調差パラメータを当該変化の時点から徐々に大きく、あるいは徐々に小さくなるように階調差パラメータの変化に時定数を持たせることにより、徐々に視野角の改善度合いを大きくし（強くし）、あるいは徐々に視野角の改善度合いを小さくし（弱くし）、不自然に見える状態を抑制することができ、映像が自然に見えるようにすることができる。
【００８１】
（実施の形態３）
図１８は実施の形態３の画像処理装置としての液晶表示装置１１０の構成の一例を示すブロック図である。実施の形態１との相違点は、画像処理部４０を備えるとともに、フレームメモリ１２に代えて、画像処理部４０と共に使用されるフレームメモリ４１を備える点である。なお、実施の形態１と同様の箇所は同一の符号を付して説明を省略する。
【００８２】
画像処理部４０は、映像信号に対して所定の画像処理を行う機能を有する。所定の画像処理は、例えば、拡大処理又は縮小処理、フレームレートの変換処理などであるが、これらに限定されるものではない。
【００８３】
フレームメモリ４１は、画像処理部４０で行う処理に用いられるフレームメモリであり、実施の形態３では、視野角改善処理部１３が使用するフレームメモリと画像処理部４０が使用するフレームメモリとを共用、兼用する。
【００８４】
より具体的には、画像処理部４０は、所定の処理を行うため、取得した映像信号ｄ（ｔ）、ｄ（ｔ-１）、…を１フレームの映像信号毎にフレームメモリ４１に記憶する。画像処理部４０は、処理後の映像信号ｆ（ｄ（ｔ）、ｄ（ｔ-１））、フレーム間の階調値の差分値Δｄ（ｔ）を視野角改善処理部１３へ出力する。
【００８５】
視野角改善処理部１３は、映像信号ｆ（ｄ（ｔ）、ｄ（ｔ-１））、差分値Δｄ（ｔ）に基づいて実施の形態１と同様の処理を行う。これにより、視野角改善処理部１３の専用のフレームメモリを備える必要がなく、回路規模を小さくすることができる。
【００８６】
（実施の形態４）
上述の実施の形態では、階調差パラメータ出力部１３２は、動画領域の場合、階調差パラメータα（ｘ、ｙ）＝α０を出力し、静止画領域の場合、階調差パラメータα（ｘ、ｙ）＝α１を出力する構成であったが、これに限定されるものではない。
【００８７】
図１９は実施の形態４の階調差パラメータ出力部１３２による階調差パラメータαの出力態様の一例を示す説明図である。図１９Ａに示すように、入力映像の一部（図中、矩形状の枠で示す領域）が静止画領域であり、残りが動画領域であるとする。そして、図１９Ｂ〜図１９Ｄに示すように、階調差パラメータ出力部１３２による階調差パラメータαの出力態様には、モード１、モード２及びモード３の３つのモードがある。
【００８８】
図１９Ｂに示すように、モード１は、静止画領域と動画領域とを分けて異なる階調差パラメータを出力するモードである。階調差パラメータ出力部１３２は、静止画領域に対しては、階調差パラメータα０を出力し、動画領域に対しては、階調差パラメータα１（α１＞α０）を出力する。モード１を用いることにより、視野角改善処理の効果を高める部分と弱める部分とを分けることができる。
【００８９】
図１９Ｃに示すように、モード２は、入力映像に静止画領域が含まれている場合、全画面を静止画とするモードである。この場合、階調差パラメータ出力部１３２は、全画面に対して階調差パラメータα０を出力する。
【００９０】
図１９Ｄに示すように、モード３は、入力映像に動画領域が含まれている場合、全画面を動画とするモードである。この場合、階調差パラメータ出力部１３２は、全画面に対して階調差パラメータα１を出力する。モード２又は３を用いることにより、液晶パネル３０を斜めから見た場合に、表示の部分で色合いに差が表れないようにすることができる。
【００９１】
すなわち、選択部としての階調差パラメータ出力部１３２は、動画検出部１３１で画像の画素に動画及び静止画の両方が存在すると判定した場合、動画と判定したときに用いられる高階調値と低階調値との差分である階調差パラメータα１及び静止画と判定したときに用いられる高階調値と低階調値との差分である階調差パラメータα１のいずれかを選択する。視野角改善処理部１３は、選択した階調差パラメータを用いて、画像の全画素、すなわち、全画面の画素の階調値を変換する。
【００９２】
上述のモード１〜３については、ユーザがリモコン又はボタン操作等で変更するように構成することができる。また、テレビ（ＴＶ）のモードに連動させて階調差パラメータ出力部１３２のモードを変更するようにしてもよい。例えば、テレビのモードが標準モード又はシネマモードである場合、階調差パラメータ出力部１３２のモードをモード１に変更する。これにより、動画部分は視野角改善処理効果を強くし、白浮きを抑制することができる。また、静止画部分（例えば、テロップ又は字幕部分など）は、視野角改善処理効果を弱くし、精細感を維持することができる。また、テレビのモードがＰＣモードである場合、階調差パラメータ出力部１３２のモードをモード２に変更する。動画を小画面で表示している場合には、視野角改善処理効果を弱くし、精細感を維持することができる。動画を全画面表示する場合には、視野角改善処理効果を強くし、白浮きを抑えることができる。
【００９３】
以上のように、本発明の実施の形態に係る画像処理装置は、複数の画素で構成される画像の画素を高階調画素又は低階調画素のいずれかに割り当て、前記高階調画素に割り当てた画素の階調値をより高階調の高階調値に変換し、前記低階調画素に割り当てた画素の階調値をより低階調の低階調値に変換する変換処理部（１３２、１３３、１３４）を備える画像処理装置において、前記画像の画素が動画又は静止画であるかを判定する判定部（１３１）を備え、前記変換処理部は、前記判定部で前記画素が動画であると判定した場合に前記画素の階調値が変換される前記高階調値と低階調値との差分を、前記判定部で前記画素が静止画であると判定した場合に前記画素の階調値が変換される前記高階調値と低階調値との差分より大きくして変換するようにしてあることを特徴とする。
【００９４】
また、本発明の実施の形態係る画像処理方法は、複数の画素で構成される画像の画素を高階調画素又は低階調画素のいずれかに割り当て、前記高階調画素に割り当てた画素の階調値をより高階調の高階調値に変換し、前記低階調画素に割り当てた画素の階調値をより低階調の低階調値に変換する画像処理方法において、前記画像の画素が動画又は静止画であるかを判定するステップと、前記画素が動画であると判定された場合に前記画素の階調値が変換される前記高階調値と低階調値との差分を、前記画素が静止画であると判定された場合に前記画素の階調値が変換される前記高階調値と低階調値との差分より大きくして変換するステップとを含むことを特徴とする。
【００９５】
本実施の形態にあっては、判定部（１３１）は、画像の任意の画素が動画であるか、あるいは静止画であるかを判定する。変換処理部（１３２、１３３、１３４）は、高階調画素に割り当てた画素の階調値をより高階調の高階調値に変換し、低階調画素に割り当てた画素の階調値をより低階調の低階調値に変換する場合に、動画であると判定された画素（ｘ、ｙ）に対して、画素の階調値が変換される高階調値と低階調値との差分を大きくする。そして、静止画であると判定された画素（ｘ、ｙ）に対して、変換処理部（１３２、１３３、１３４）は、画素の階調値が変換される高階調値と低階調値との差分を小さくする。これにより、静止画においては精細感を損なうことなく、また動画においては白浮きを抑制して視野角を改善することができる。
【００９６】
本発明の実施の形態に係る画像処理装置は、時系列的な一の画像及び他の画像それぞれの対応する画素の階調値の差分を算出する差分算出部（１３１）を備え、前記判定部（１３１）は、前記画素の階調値の差分が所定の差分閾値より大又は小であるかに応じて前記画素が動画又は静止画であるかを判定するようにしてあることを特徴とする。
【００９７】
本実施の形態にあっては、差分算出部（１３１）は、時系列的な一の画像及び他の画像それぞれの対応する画素の階調値の差分を算出する。判定部（１３１）は、画素の階調値の差分が所定の差分閾値ＦＴＨより大又は小であるかに応じて、当該画素が動画又は静止画であるかを判定する。例えば、階調値の差分Δｄ＞ＦＴＨである場合、画素（ｘ、ｙ）は動画であると判定し、階調値の差分Δｄ≦ＦＴＨである場合、画素（ｘ、ｙ）は静止画であると判定することができる。これにより、画像中に動画と静止画とが混在する場合でも、本実施の形態を適用することができる。
【００９８】
本発明に係る画像処理装置は、前記画像の画素と前記画素の周辺画素との階調値の差分を算出する差分算出部（１３１）を備え、前記判定部（１３１）は、前記画素と周辺画素との階調値の差分が所定の差分閾値より大又は小であるかに応じて前記画素が動画又は静止画であるかを判定するようにしてあることを特徴とする。
【００９９】
本実施の形態にあっては、差分算出部（１３１）は、任意のフレームの画像の画素と当該画素の周辺画素との階調値の差分を算出する。周辺画素は、例えば、任意の画素の周辺の８画素でもよく、上下左右の４画素でもよく、左右の２画素でもよく、上下の２画素でもよい。周辺画素の階調値は、周辺画素それぞれの階調値を合計して周辺画素の個数で除算した平均値でもよく、中央値などでもよい。判定部（１３１）は、画素と周辺画素との階調値の差分が所定の差分閾値より大きい場合、当該画素が動画であると判定し、画素と周辺画素との階調値の差分が所定の差分閾値より小さい場合、当該画素が静止画であるかを判定することができる。
【０１００】
本発明の実施の形態に係る画像処理装置は、前記画像の１又は複数の画素毎に、高階調画素及び低階調画素が格子状をなすように割り当てる割当部（１４）を備えることを特徴とする。
【０１０１】
本実施の形態にあっては、割当部（１４）は、画像の１又は複数の画素毎に、高階調画素及び低階調画素が格子状をなすように割り当てる。これにより、ざらつき感が少なく精細感を高くすることができる。
【０１０２】
本発明の実施の形態に係る画像処理装置は、前記判定部（１３１）は、静止画から動画へ変化する時点又は動画から静止画へ変化する時点を判定するようにしてあり、前記高階調値と低階調値との差分を、前記時点から徐々に大きくすべく又は徐々に小さくすべく調整する調整部（１３２）を備えることを特徴とする。
【０１０３】
本実施の形態にあっては、判定部（１３１）は、静止画から動画へ変化する時点又は動画から静止画へ変化する時点を判定する。調整部（１３２）は、静止画から動画へ変化する場合、高階調値と低階調値との差分である階調値パラメータを、当該時点から所要の時定数で徐々に大きくすべく調整する。また、調整部（１３２）は、動画から静止画へ変化する場合、高階調値と低階調値との差分である階調値パラメータを、当該時点から所要の時定数で徐々に小さくすべく調整する。これにより、不自然に見える状態を抑制することができ、映像が自然に見えるようにすることができる。
【０１０４】
本発明の実施の形態に係る画像処理装置は、前記判定部（１３１）で前記画像の画素に動画及び静止画の両方が存在すると判定した場合、該判定部で動画と判定したときに用いられる高階調値と低階調値との差分及びは該判定部で静止画と判定したときに用いられる高階調値と低階調値との差分のいずれかを選択する選択部（１３２）を備え、前記変換処理部（１３２、１３３、１３４）は、前記選択部で選択した高階調値と低階調値との差分を用いて、前記画像の全画素の階調値を変換するようにしてあることを特徴とする。
【０１０５】
本実施の形態にあっては、選択部（１３２）は、判定部（１３１）で画像の画素に動画及び静止画の両方が存在すると判定した場合、判定部で動画と判定したときに用いられる高階調値と低階調値との差分及びは判定部で静止画と判定したときに用いられる高階調値と低階調値との差分のいずれかを選択する。変換処理部（１３２、１３３、１３４）は、選択部で選択した高階調値と低階調値との差分を用いて、画像の全画素の階調値を変換する。例えば、入力映像に静止画領域及び動画領域が含まれている場合、全画面に対して、静止画に対して使用される階調差パラメータα０を選択する。また、入力映像に静止画領域及び動画領域が含まれている場合、全画面に対して、動画に対して使用される階調差パラメータα１を選択する。これにより、液晶パネルを斜めから見た場合に、表示の部分で色合いに差が表れないようにすることができる。
【符号の説明】
【０１０６】
１１  映像信号入力部
１２  フレームメモリ
１３  視野角改善処理部
１３１  動画検出部
１３２  階調差パラメータ出力部
１３３  高階調映像及び低階調映像出力部
１３４  高階調映像及び低階調映像選択部
１３５  パターン信号生成部
２０  液晶駆動部
３０  液晶パネル
４０  画像処理部
４１  フレームメモリ
【図１】
2015011322.tif 000005
【図２】
2015011322.tif 000006
【図３】
2015011322.tif 000007
【図４】
2015011322.tif 000008
【図５】
2015011322.tif 000009
【図６】
2015011322.tif 000010
【図７】
2015011322.tif 000011
【図８】
2015011322.tif 000012
【図９】
2015011322.tif 000013
【図１０】
2015011322.tif 000014
【図１１】
2015011322.tif 000015
【図１２】
2015011322.tif 000016
【図１３】
2015011322.tif 000017
【図１４】
2015011322.tif 000018
【図１５】
2015011322.tif 000019
【図１６】
2015011322.tif 000020
【図１７】
2015011322.tif 000021
【図１８】
2015011322.tif 000022
【図１９】
2015011322.tif 000023